(57)【要約】【課題】工場などにおける作業者のミスの発生や労働災害の防止のための簡便な体調管理装置、システム及び方法を提供することであり、更に、その装置、システム及び方法の効果を高めるために、作業者に情報の入力を積極的に行わせることができる体調管理装置、システム及び方法を提供すること。【解決手段】作業者からの体調に関する情報の入力を受ける情報入力部と、前記入力された体調に関する情報を分析し、作業者の行動予測を行う体調情報分析部と、前記体調情報分析部の分析結果及び／または行動予測を出力する情報出力部とを有することを特徴とする作業者の体調管理装置、それを含むシステム及びその使用方法であること。【選択図】図１
2020198070.tif 000002
【特許請求の範囲】
【請求項１】
−作業者からの体調に関する情報の入力を受ける情報入力部と、
−前記入力された体調に関する情報を分析し、作業者の行動予測を行う体調情報分析部と、
−前記体調情報分析部の分析結果及び／または行動予測を出力する情報出力部と
を有する作業者の体調管理装置。
【請求項２】
−更に、体調管理に関するデータを蓄積する体調管理データベースと
を有することを特徴とする請求項１に記載の体調管理装置。
【請求項３】
−前記体調情報分析部が、前記体調管理データベースに蓄積されたデータを用いて、ＡＩ（人工知能）技術、またはルールベースにより、体調情報の分析または／及び行動予測を行うことを特徴とする請求項２に記載の体調管理装置。
【請求項４】
前記体調管理データベースに蓄積されたデータを教師データとして機械学習を行って学習済みモデルを生成する体調管理モデル生成部を有し、前記体調情報分析部が、前記モデルを用いて、体調情報の分析または／及び行動予測を行うことを特徴とする請求項３に記載の体調管理装置。
【請求項５】
前記作業者からの体調に関する情報は、作業者の自己申告情報であることを特徴とする請求項１に記載の体調管理装置。
【請求項６】
前記作業者からの体調に関する情報は、前記体調管理装置からの質問への回答であることを特徴とする請求項１に記載の体調管理装置。
【請求項７】
−情報を表示する情報表示部と、
−情報を入力する情報入力部と、
−外部機器と接続可能なインターフェースと、
−前記入力された情報に基づいて情報の加工、入出力を行う情報制御部と
を有し、前記インターフェースを介して体調管理装置に接続され、前記情報表示部に表示された手順に従って、前記情報入力部から、体調管理用の自己申告情報及び／または前記体調管理装置からの質問への回答の入力を行うことが可能であるように、前記情報制御部が制御することをを特徴とする体調管理用の作業者用端末。
【請求項８】
−健康管理装置に接続され、該健康管理装置からの作業者の健康管理に関する情報の入力を受ける健康管理情報受取部と、
−受け取った前記健康管理情報に基づき、作業者への働きかけのための情報を生成し、出力する働きかけ情報生成部と
を有することを特徴とする体調管理用の管理者用装置。
【請求項９】
−第１の態様に記載の体調管理装置と、
−第７の態様に記載の作業者用端末と、
−第８の態様に記載の管理者用装置と
を有する作業者の体調管理システム。
【請求項１０】
前記体調管理装置に抽選機能制御部を有し、前記作業者端末からの指示で前記抽選機能制御部が働き、抽選に当選した場合に、当選情報が前記管理者用装置及び／または作業者端末に伝達されることを特徴とする請求項９に記載の作業者の体調管理システム。
【請求項１１】
前記抽選機能制御部が、前記作業者端末からの特定の作業者の情報に基づき、該作業者の抽選回数または当選確率の増減を制御することを特徴とする請求項９に記載の作業者の体調管理システム。
【請求項１２】
−作業者からの体調に関する情報の入力を受ける情報入力ステップと、
−前記入力された体調に関する情報を分析し、作業者の行動予測を行う体調情報分析ステップと、
−前記体調情報分析部の分析結果及び／または行動予測を出力する情報出力ステップと
を有する作業者の体調管理方法。
【請求項１３】
作業者の体調管理装置であって、前記作業者が、工場労働者であることを特徴とする請求項１に記載の体調管理装置。
【請求項１４】
作業者の体調管理装置であって、前記作業者が、飲食店従業員であることを特徴とする請求項１に記載の体調管理装置。
【請求項１５】
作業者の体調管理装置であって、前記作業者が、建設業従事者であることを特徴とする請求項１に記載の体調管理装置。
【請求項１６】
作業者の体調管理装置であって、前記作業者が、公務に従事する者であることを特徴とする請求項１に記載の体調管理装置。
【請求項１７】
作業者の体調管理装置であって、前記作業者が、運輸業又は旅客業に従事する者であることを特徴とする請求項１に記載の体調管理装置。
【発明の詳細な説明】
【技術分野】
【０００１】
本発明は、体調管理装置、体調管理システム及び体調管理方法に関するものであり、特に、ＡＩを活用した行動予測を含む体調管理装置、体調管理システム及び体調管理方法に関する。
【背景技術】
【０００２】
近年、製造業における企業間の競争が厳しくなっており、例えば、工場などでの作業のミスの発生頻度を低減する、あるいは、事業継続に重大な支障を与えかねない労働災害を防止するための方策が重要となっており、そのために作業者の体調を管理するシステムが必要となっている。
【０００３】
例えば、特許文献１には、クレーンや乗り物を運転・操作するオペレータの健康状態をデータによって厳密に把握し、健康状態に懸念要因がみられるオペレータは運転・操作をすることができないようにするために、オペレータの正常時における健康データをＩＣカードに収納し、運転・操作時には現状における健康状態を検知し、正常時のデータと比較して解析することで、次ステップへの移行可否を判定するオペレータ用健康データ管理システムの技術思想が開示されている。
【０００４】
しかしながら、このシステムによれば、運転・操作する機体ごとに健康状態検知用の端末を設置する必要があり、更に、ＩＣカードを常時携行する必要があり、また、各項目ごとに煩雑で、時間を要する検査手続きが必要となる。
【０００５】
そのため、より簡便に、短時間で手続きを完了できる体調管理装置及びシステムが要望されている。
【０００６】
また、その際に、作業者が体調に関する情報の入力がなされないと、システムの効果が発揮できないため、作業者に積極的に情報の入力を行わせることが必要である。
【０００７】
例えば、特許文献２には、健康増進のための生体測定を行うシステムであって、生体測定装置の測定結果に基づいて検証のくじ番号が生成されるシステムの技術思想が開示されている。
【０００８】
しかしながら、このシステムでは、生体測定の対象が、歩数計、体脂肪計、体重計、血圧計、体組成計であり、このような専用の測定機器を保持している必要があった。
【０００９】
また、このシステムは、健康増進を目的としたもので、工場などにおけるミスの発生の低減や労働災害の防止のために作業者に情報の入力を積極的に行わせることを目的としたものではない。
【００１０】
このようなことから、工場などにおけるミスの発生の低減や労働災害の防止のための簡便なシステムであって、かつ、作業者に情報の入力を積極的に行わせる体調管理装置及びシステムが要望されている。
【先行技術文献】
【特許文献】
【００１１】
【特許文献１】特願２００５−２０２８９９
【特許文献２】特願２００４−２５８７９２
【発明の概要】
【発明が解決しようとする課題】
【００１２】
本発明が解決しようとする主な課題は、上記のような問題点を解決するために、工場などにおける作業者のミスの発生や労働災害の防止のための簡便な体調管理装置、システム及び方法を提供することであり、副次的な課題としては、その装置、システム及び方法の効果を高めるために、作業者に情報の入力を積極的に行わせることができる体調管理装置、システム及び方法を提供することである。
【課題を解決するための手段】
【００１３】
かかる課題を解決するために、本発明の第1の態様は、作業者の体調管理装置であり、
−作業者からの体調に関する情報の入力を受ける情報入力部と、
−前記入力された体調に関する情報を分析し、作業者の行動予測を行う体調情報分析部と、
−前記体調情報分析部の分析結果及び／または行動予測を出力する情報出力部と
を有することを特徴とする。
【００１４】
なお、これらの機能部分は、ハードウエア構成上は、制御部、入力部、出力部、表示部、記憶部、インターフェース部などを備えた、単一の、あるいは複数のサーバ、ＰＣなどが好適であるが、それに限定せず、携帯端末や専用端末であってもよく、あるいはクラウドコンピューティングなど遠隔で機能を分散して有していてもよく、必要に応じて、周辺機器（プリンタ、マイク、スピーカなど）を付加してもよく、これらのハードウエア資源を用いて先に述べた機能部分が構成され、情報処理を行っている。
【００１５】
ここで、作業者とは、種々の業務、労働に従事する者で、労働者、従業員などの総称であり、職種は、工場労働者が最も典型であるが、建設作業員、飲食店従業員、運輸・旅客業、営業職員、事務職員、教育関係に従事する者、公務関係（含む、自衛隊、警察など）に従事する者など、どのような作業者も含むものである。また、業務に従事する形態、例えば正規の雇用者であるか、パート・アルバイトなどの非正規雇用者であるか、個人事業者であるかなどを問わない。
【００１６】
なお、作業者からの体調に関する情報は、作業者の携帯端末（スマートホン、タブレット、携帯電話）から情報入力部へと有線、無線、インターネット経由などで入力されることが好適であるが、それ以外に、パソコンや専用端末などからの入力であってもよく、あるいは、体調管理装置に内蔵される入力手段によってもよい。
【００１７】
ここで、入力される体調に関する情報は、作業者の状態を示す情報であることが望ましく、また、検知用の機器などを使用せずに入力できるものであることが好ましい。
【００１８】
また、体調情報分析部は、入力された体調に関する情報を分析し、必要に応じて統計的に処理したり、ルールベースあるいはＡＩ（人工知能）技術によって、このような体調の情報から想定される行動を予測したりする。
【００１９】
また、情報出力部は、外部の別のサーバなどに、分析結果や行動予測情報を出力することができ、外部の危機やシステムいおいて、それらの情報を有効に活用して、作業ミスの低減、労働災害の防止などに役立てることができる。  
【００２０】
次に、本発明の第２の態様は、第1の態様の体調管理装置であって、
−更に、体調管理に関するデータを蓄積する体調管理データベースと
を有することを特徴とする。
【００２１】
この体調管理データベースには、作業者に関する基本的な情報（適性検査結果、性格診断結果、従業員の基礎データなど）、過去の労働災害情報（産業界全体の発生状況、当該企業での発生状況、災害発生要因など）、環境情報（作業場所などの気象情報など）が蓄積されていることが好ましく、更に、先に述べた作業者の入力結果・分析結果・行動予測なども記憶されることが望ましい。
【００２２】
これらの体調管理データベースを用いると、新たに入力された作業者の体調に関する情報の分析及び行動予測の精度を高めることができる。
【００２３】
なお、この体調管理データベースは、体調管理装置に内蔵されていてもよいし、あるいは外部や遠隔に設けられていてもよい。更に、複数の体調管理装置に対して共通の体調管理データベースを用いるようにしてもよい。
【００２４】
次に、本発明の第３の態様は、第２の態様の体調管理装置において、
−前記体調情報分析部が、前記体調管理データベースに蓄積されたデータを用いて、ＡＩ（人工知能）技術により、またはルールベースにより、体調情報の分析または／及び行動予測を行うことを特徴とする。
【００２５】
このようにすると、これまでに作業者が入力した情報、それに関連する情報（例えば、作業者の個人情報、労働日の季節・時間帯・天候・温度・湿度、過去の災害情報など）、予測の精度などの情報を用いて、ＡＩ技術またはルールベースによる分析がなされ、予測精度が大幅に向上する。
【００２６】
ここで、ＡＩに用いる技術としては、ベイズ統計学ではナイーブベイズ法、ベイズ推定法、ベイジアンネットワーク法、カルマンフィルター法、階層ベイズ法などがあり、機械学習としては、テキストマイニング法、アソシエーション分析法、協調フィルタリング法、評価関数法、Ｋ平均法、サポートベクターマシン法、決定木法、異常検知法などを用いて学習させるものであり、深層学習（ディープラーニング）としては、脳細胞（ニューロン）の動きを模し、細胞間の信号伝達の一部を帰還させるＲＮＮや、信号伝達経路を徐々に縮小し判断精度を高めるＣＮＮなどのアルゴリズムによって学習させるものがある。
【００２７】
ＡＩ技術は、上記に限らず、種々の手法が実用化されており、また、今後も様々な進展が考えられるが、それらの技術をも体調管理装置に適用することで、ルールベースの場合に比べ、行動予測の精度が向上する可能性がある。
【００２８】
次に、本発明の第４の態様は、第３の態様の体調管理装置において、
前記体調管理データベースに蓄積されたデータを教師データとして機械学習を行って学習済みモデルを生成する体調管理モデル生成部を有し、前記体調情報分析部が、前記モデルを用いて、体調情報の分析または／及び行動予測を行うことを特徴とする。
【００２９】
ここで、体調管理モデル生成部は、体調管理装置に内蔵されていてもよいし、あるいは外部や遠隔に設けられていてもよい。更に、複数の体調管理装置に対して共通の体調管理モデル生成部を用いるようにしてもよい。
【００３０】
あるいは、外部に設けられた体調管理モデル生成部において生成されたモデルのみをインストールするようにしてもよい。
【００３１】
ここで、機械学習は、ニューラルネットワークによる深層学習（ディープラーニング）を含み、それが好適であるが、その他にも種々の公知の多数の手法があり、また、今後もその延長上に改良された手法が現れると考えられ、それらのものも、本発明の範囲に含まれる。
【００３２】
次に、本発明の本発明の第５の態様は、第1の態様の体調管理装置であって、
前記作業者からの体調に関する情報は、作業者の自己申告情報であることを特徴とする。
【００３３】
すなわち、作業者の「気分がよい／ふつう／悪い」という３段階の情報が最も典型的であるが、「ややよい」「やや悪い」を加えて５段階などにしてもよい。その他に、「睡眠が十分／ふつう／不足」など、作業者の自己申告による情報を入力させるようにしてもよい。
【００３４】
また、その際の回答に要する時間を情報として得るようにしてもよい。自己申告の情報に加えて、入力時間の長／短も、重要な情報となる可能性がある。
【００３５】
このようにすると、自己申告による簡便な操作により入力された情報を用いて、作業者の体調予測や行動予測が可能となり、作業ミスの減少や労働災害の防止に大いに役立つ。また、ここでＡＩ技術を用いることで、その予測精度を向上させることができる。
【００３６】
なお、「気分」というような人間（作業者）自身の主観的な情報を行動予測などに役立てることは、これまでに例がない、新規なものであると確信する。
【００３７】
あるいは、本発明の第６の態様は、第1の態様の体調管理装置であって、  
前記作業者からの体調に関する情報は、前記体調管理装置からの質問への解答であることを特徴とする。
【００３８】
すなわち、体調管理装置から、予め、あるいは、都度、作業者端末に提供されるクイズ、パズルなどを含む質問に対して、作業者端末から、その解答を入力させるようにしてもよい。
【００３９】
ここで、質問に対する解答に関して、正／誤のほか、解答に要する時間を情報として得るようにしてもよい。
【００４０】
このようにすると、質問に対する正答率が高い／低い、あるいは、質問への解答時間が短い／長いなどの情報から、作業者の体調が分析でき、行動の予測が可能となる。ここでも、特に、ＡＩ技術を用いることによって、予測精度の向上が期待できる。
【００４１】
次に、本発明の第７の態様は、作業者用端末であって、
−情報を表示する情報表示部と、
−情報を入力する情報入力部と、
−外部機器と接続可能なインターフェースと、
−前記入力された情報に基づいて情報の加工、入出力を行う情報制御部と
を有し、前記インターフェースを介して体調管理装置に接続され、前記情報表示部に表示された手順に従って、前記情報入力部から、体調管理用の自己申告情報及び／または前記体調管理装置からの質問への解答の入力を行うことが可能であるように、前記情報制御部が制御することをを特徴とする。
【００４２】
このような作業者用端末をそれぞれの作業者が用いることによって、作業者の体調情報（自己申告情報及び／または体調管理装置からの質問への解答）の入力が可能となり、体調管理装置による詳細な分析や予測が可能となる。
【００４３】
次に、本発明の第８の態様は、管理者用装置であって、
−健康管理装置に接続され、該健康管理装置からの作業者の健康管理に関する情報の入力を受ける健康管理情報受取部と、
−受け取った前記健康管理情報に基づき、作業者への働きかけのための情報を生成し、出力する働きかけ情報生成部と
を有することを特徴とする。
【００４４】
ここで、管理者用装置は、機能的構成としては、少なくとも上記の２つの機能部分を有するが、ハードウエア構成としては、制御部、入力部、出力部、表示部、記憶部、インターフェース部などを備えたサーバ、あるいはＰＣが好適であるが、それに限定せず、携帯端末や専用端末であってもよく、あるいはクラウドコンピューティングなど遠隔で機能を分散して有していてもよく、また、必要に応じて、周辺機器（プリンタ、マイク、スピーカなど）を付加してもよく、あるいは、体調管理装置と全機能を共用する、あるいは機能の一部を共通に使用するようにしてもよい。
【００４５】
このようにすると、体調管理装置によって、作業者の自己申告による体調情報などから分析された結果、及び解析された作業者に関する行動予測情報が、管理者用装置に送られてくるため、管理者用装置は、作業者に対する働きかけのための情報を生成することができ、その情報を用いて、管理者が作業者にミスや事故の事前防止を働きかけることができる。  
【００４６】
すなわち、体調が著しく不調、あるいは不安全行動の確率が高いなどの予測が出た場合には、当該作業者と面談を行い、注意喚起をするなどの対応を取ることができおる。
【００４７】
次に、本発明の第９の態様は、体調管理システムであって、
−第１の態様に記載の体調管理装置と、
−第７の態様に記載の作業者用端末と、
−第８の態様に記載の管理者用装置と
を有することを特徴とする。
【００４８】
このようにすると、多数の作業者が作業を行う、工場や作業現場、更には、企業全体として、最適な体調管理に関するシステムを構築、運用することができる。
【００４９】
次に、本発明の第１０の態様は、第９の態様の作業者の体調管理システムであって、
前記体調管理装置に抽選機能制御部を有し、前記作業者端末からの指示で前記抽選機能制御部が働き、抽選に当選した場合に、当選情報が前記管理者用装置及び／または作業者端末に伝達されることを特徴とする。
【００５０】
なお、当選情報は、管理者用装置に伝達され、管理者から作業者に直接賞品を手渡すように運用することが、インセンティブを高める意味からは好適であるが、管理者用装置に伝達することに代えて、あるいは管理者用装置に伝達することと併せて作業者用端末に伝達されるようにしてもよい。賞品の手渡しの手間などを省くことはできる。
【００５１】
すなわち、これまで説明した作業者の体調管理システムを十分に機能させるためには、作業者に自己申告情報や、質問解答などの体調に関する情報の入力を積極的に行わせることが極めて重要である。
【００５２】
そのために、体調管理装置に抽選機能制御部を内蔵し、作業者用端末から、その抽選機能にアクセスできるようにすることが望ましい。なお、抽選とは、スロットマシンやくじ引きに類するような、それ自体に娯楽となる要素があれば更に好ましい。
【００５３】
具体的には、作業開始前に、体調に関する情報を入力済みの作業者は、作業終了後、抽選をおこなう権利が与えられるようにする。
【００５４】
作業者は、作業者用端末から抽選に参加することを表明し、体調管理装置において抽選がおこなわれ、当選となった場合は、その当選情報が、管理者用装置に送られ、管理者用装置の管理者より賞が与えられるようにする。
【００５５】
このようにすれば、作業者は、抽選により賞を得るという動機づけ（インセンティブ）から、積極的に情報入力を行うことになり、本システムの目的が最大限に果たされる。
【００５６】
次に、本発明の第１１の態様は、第９の態様の作業者の体調管理システムであって、
前記抽選機能制御部が、前記作業者端末からの特定の作業者の情報に基づき、該作業者の抽選回数または当選確率の増減を制御することを特徴とする。
【００５７】
具体的には、特定の作業者が、体調情報を定められた期間、毎日連続で入力すると、より多くの抽選権利または当選確率を得ることができるようにする。例えば、毎日連続で入力がなされると、抽選機能制御部が、その日数をカウントし、4日目以降は、２倍の抽選権利を付与し、更に、１０日目以降は３倍の抽選権利を付与するように制御してもよい。なお、抽選権利の付与に代えて、当選確率を上昇させるようにしてもよい。逆に、入力を怠ると、それらの抽選権利を減少させ、あるいは当選確率を引き下げるようにする。このようにすれば更に入力のインセンティブを高めることとなる。
【００５８】
なお、このくじに関しては、「顧客を誘引する目的」には該当しないことから、不当景品類及び不当表示防止法（景品表示法）の対象外である。
【００５９】
次に、本発明の第１２の態様は、作業者の体調管理方法であって、
−作業者からの体調に関する情報の入力を受ける情報入力ステップと、
−前記入力された体調に関する情報を分析し、作業者の行動予測を行う体調情報分析ステップと、
−前記体調情報分析部の分析結果及び／または行動予測を出力する情報出力ステップと
を有することを特徴としてもよい。
【００６０】
このようにすれば、ハードウエアの構成によらず、本発明の効果を実現することができる。
【００６１】
次に、本発明の第１３の態様は、第1の態様の作業者の体調管理装置であって、前記作業者が、工場労働者であることを特徴とする。
【００６２】
これまでの説明は、工場労働者を想定して記載されており、工場労働者の作業ミスの減少や、労働災害の防止に効果を発揮することができる。
【００６３】
また、本発明の第１４の態様は、第1の態様の作業者の体調管理装置であって、前記作業者が、飲食店従業員であることを特徴とする。
【００６４】
この場合も、これまでの工場労働者における説明と同様に、体調情報を申告させることで、作業ミスの減少などの効果を発揮できるが、更に、仕事の不満を早期に把握する、離職の前兆を捕らえて離職率を低減する、ひいては、飲食店の顧客の満足度を向上させるなどなどの追加の効果も期待できる。
【００６５】
また、発熱・吐き気・下痢などの自覚症状を体調情報として付け加えることにより、食中毒の発生を未然に防止するなどの効果を発揮することができる。
【００６６】
また、本発明の第１５の態様は、第1の態様の作業者の体調管理装置であって、前記作業者が、建設業従事者であることを特徴とする。
【００６７】
この場合も、これまでの工場労働者における説明と同様に、体調情報を申告させることで、作業ミスの減少などの効果を発揮できるが、建設業の場合、作業現場が変わることも多く、その際に、作業現場に関する情報を当該現場に合わせて変更することで、適切な結果を得ることができる。
【００６８】
また、特に、落下事故などの危険性の高い職種であることなどから、安全意識を確認する質問を加えることなどによって、労災事故の発生率を更に低減させることが期待できる。
【００６９】
また、本発明の第１６の態様は、第1の態様の作業者の体調管理装置であって、前記作業者が、公務に従事する者（自衛隊員、警察管、消防士などを含む）であることを特徴とする。
【００７０】
この場合も、これまでの工場労働者における説明と同様に、体調情報を申告させることで、作業ミスの減少などの効果を発揮できるが、特に、公務に従事する者については、機密漏洩などの危惧があり、それらに対する意識を確認する質問を加えるなどして、その者に業務を遂行させることが適切かどうかを判断させるようにしてもよい。
【００７１】
また、本発明の第１７の態様は、第1の態様の作業者の体調管理装置であって、前記作業者が、運輸業又は旅客業に従事する者であることを特徴とする。
【００７２】
ここで、運輸業に従事する者とは、トラック運転手、トラック・コンテナ・貨車などへの積み込み積み下ろしの作業者などを含むが、それに限定せず、広く運輸業に従事する者を含むものとする。また、旅客業に従事する者とは、タクシードライバー、鉄道・バスの運転手や車掌、飛行機やヘリコプターのパイロットなどの旅客運送業に従事する者を含むが、それに限定せず、広く旅客業に従事する者を含むものとする。
【００７３】
この場合も、これまでの工場労働者における説明と同様に、体調情報を申告させることで、作業ミスの減少などの効果を発揮できるが、特に、運輸業や旅客業に従事する者は、不規則な勤務時間帯での業務や身体的及び/または心理的要因による事故の予兆を捕らえて、特に運転や操縦をする者に対して、安全運転に関する注意喚起をより適切に行うことができ、労働災害（交通事故など）を低減させることが期待できる。
【発明の効果】
【００７４】
このような体調管理装置、体調管理システム及び体調管理方法では、作業者に体調に関する情報を積極的に入力させ、それによって体調の異常の検出や行動の予測をすることが可能となり、作業者のミスや災害の防止に大いに役立つ。
【００７５】
特に、作業ミスや労働災害に関しては、環境要素もあるが、それよりも、人間（作業者）自身の体調（気分やパフォーマンス）による部分が大であり、これまで、それらの、いわば「人のセンシング」のデータをシステムに取り込みことは行われておらず、その面からも、人間自身の体調の変動により、行動の予測をするということは、これまでにない大きな効果を発揮するものである。
【図面の簡単な説明】
【００７６】
【図１】本発明の一実施形態の体調管理装置及び同システムの機能構成図である。
【図２】本発明の一実施形態のシステムの作業者用端末の機能構成図である。
【図３】本発明の一実施形態のシステムの管理者用装置の機能構成図である。
【図４】本発明の一実施形態のシステムにおけるサービス開始時のフロー図である。
【図５】本発明の一実施形態のシステムに用いられる体調管理カードの一例である。
【図６】本発明の一実施形態のシステムにおける実運用時のフロー図である。
【図７】本発明の一実施形態のシステムにおける気分の選択の一例の画面である。
【図８】本発明の一実施形態のシステムにおける質問の一例の画面である。
【図９】本発明の一実施形態のシステムにおける質問の別の例の画面である。
【図１０】本発明の一実施形態のシステムの体調管理モデル生成部の説明図である。
【図１１】本発明の一実施形態のシステムにおける行動予測の説明図である。
【図１２】本発明の一実施形態のシステムにおける行動予測の説明図である。
【図１３】本発明の一実施形態のシステムにおける作業終了後のフロー図である。
【図１４】本発明の一実施形態のシステムにおける対価の支払のフロー図である。
【発明を実施するための形態】
【００７７】
本発明の実施の形態を図面を用いて説明する。なお、この説明は発明の理解のための例示であり、本発明はこの範囲に限定されるものではない。
【００７８】
図１は本発明の一実施形態の体調管理システム及び体調管理装置の機能構成図である。
【００７９】
体調管理システム１００は、作業者の体調管理全般を司る体調管理装置１０、作業者が保持する作業者用端末２０、作業者を管理する管理者用装置３０を含んでいる。
【００８０】
体調管理装置１０は、作業者からの体調に関する情報の入力を受ける情報入力部１１と、入力された体調に関する情報を分析し、作業者の行動予測を行う体調情報分析部１２と、体調情報分析部１２の分析結果及び／または行動予測を出力する情報出力部１３とを有する。
【００８１】
ここで、体調情報分析部１２は、入力された体調に関する情報を分析し、必要に応じて統計的に処理したり、ルールベースあるいはＡＩ（人工知能）技術によって、このような体調の情報から想定される行動を予測したりする。
【００８２】
更に、体調管理装置１０は、種々の体調管理に関するデータを蓄積する体調管理データベース１４を有していてもよく、また、体調管理データベース１４に蓄積されたデータを教師データとして機械学習を行って学習済みモデルを生成する体調管理モデル生成部１５を有していてもよい。
【００８３】
また、体調管理装置１０は、作業員が参加する抽選に関する事項を制御する抽選機能制御部１６を有していてもよい。抽選機能制御部１６は、種々の抽選パターン、当選確率、賞品の種別などの情報を有し、抽選の申し込みがあった場合に、適切な抽選を行い、当選・非当選を決定し、当選の場合には賞品を提供させるように対応させる。
【００８４】
なお、これらの機能部分は、ハードウエア構成上は、制御部、入力部、出力部、表示部、記憶部、インターフェース部などを備えた、単一の、あるいは複数のサーバ、ＰＣなどが好適であるが、それに限定せず、携帯端末や専用端末であってもよく、あるいはクラウドコンピューティングなど遠隔で機能を分散して有していてもよく、必要に応じて、周辺機器（プリンタ、マイク、スピーカなど）を付加してもよく、これらのハードウエア資源を用いて先に述べた機能部分が構成され、情報処理を行っている。
【００８５】
次に、図２は本発明の一実施形態の体調管理システムの作業者用端末の機能構成図である。作業者用端末２０は、作業者からの体調に関する情報を入力するためのもので、スマートホンが好適である。この作業者用端末２０から、体調管理装置１０の情報入力部１１へと有線、無線、インターネット経由などで情報が入力される。
【００８６】
作業者用端末２０は、情報を表示する情報表示部２１と、情報を入力する情報入力部２２と、外部機器と接続可能なインターフェース部２３と、入力された情報に基づいて情報の加工、入出力の制御を行う情報制御部２４とを有している。
【００８７】
情報表示部２１は、ＬＥＤあるいはＥＬディスプレイ、情報入力部２２はタッチパネル、インターフェース部２３は、Ｗｉ−Ｆｉなどの無線通信が好適であるが、それに限定されるものではない。
【００８８】
次に、図３は本発明の一実施形態の体調管理システムの管理者用装置の機能構成図である。管理者用装置３０は、外部との情報の授受を行うインターフェース部３１と、外部からの情報及び内部の情報の制御を行う情報制御部３２と、インターフェース部３１から受領した体調管理情報から情報制御部３２と協働して作業者への働きかけ情報を作成する働きかけ情報作成部３３とを有する。
【００８９】
なお、管理者用装置３０のこれらの機能部分は、ハードウエア構成上は、制御部、入力部、出力部、表示部、記憶部、インターフェース部などを備えたサーバが好適であるり、これらのハードウエア資源を用いて先に述べた機能部分が構成され、情報処理を行っている。
【００９０】
次に、これらの構成の体調管理装置及び体調管理システムの一実施形態の作用について説明する。
【００９１】
＜サービス開始の準備＞
図４は本発明の一実施形態の体調管理システムにおけるサービス開始時のフロー図であり、図５は  本発明の一実施形態の体調管理システムに用いられる体調管理カードの一例である。
【００９２】
体調管理装置１０の運営者（体調管理サービスの提供者）から、個別のＱＲコード（登録商標）のような２次元コード４１が付された体調管理カード４０が、管理すべき作業者の数だけ、管理者用装置の運営者（体調管理サービスの提供を受ける企業など）へと送付される。（ステップＳ０１）
【００９３】
管理者用装置３０は、管理者用装置３０の運用者に、体調管理カード４０に付された２次元コード４１と特定の作業者の属性情報との紐づけをさせる。（Ｓ０２）
【００９４】
なお、個人情報保護の観点から、体調管理装置１０側には、２次元コード４１に紐づけられた氏名などの個人情報を提供しないことが望ましい。但し、十分な秘密保持がなされることを条件に提供することも考えられる。
【００９５】
作業者と紐づけがなされた体調管理カード４０は、送付あるいは手渡しのような手段で、個々の作業者に提供される。（Ｓ０３）
【００９６】
スマートフォンなどの作業者用端末２０は、おのおのの作業者に、作業者用端末２０に内蔵された読み取り機能を用いて体調管理カード４０の２次元コード４１を読み取らせることで、体調管理装置１０にログインさせる。（Ｓ０４）
【００９７】
なお、ログイン時に、作業者が初期パスワードを変更することも可能なようにすれば、セキュリティを高めることができる。
【００９８】
体調管理装置１０側では、ログインできたことを確認することでサービス開始の準備が整う。（Ｓ０５）
【００９９】
<実際の運用＞
次に、実際の運用について説明する。図６は本発明の一実施形態の体調管理システムにおける実運用時のフロー図である。
【０１００】
毎日の作業の開始時に、作業者によって作業者用端末２０が起動され、体調管理装置１０へとログインさせる。セキュリティを高めるために、新たに設定されたパスワードを使用することも可能である。（Ｓ１１）
【０１０１】
次に、体調管理装置１０が自己申告情報の一つである気分に関する選択を作業者用端末２０の情報表示部２１に表示する。（Ｓ１２）
【０１０２】
図７は本発明の一実施形態の体調管理システムにおける気分に関する選択の画面Ｇ１である。ここで、作業者用端末２０は、作業者による気分の入力を促す。すなわち、作業者自身が感じる気分を、「よい」「ふつう」「わるい」のいずれかによって、作業者にタッチパネルからなる情報入力部２２から入力させ、この回答情報は、作業者用端末２０から体調管理装置１０へと送られる。（Ｓ１３）
【０１０３】
引き続き、体調管理装置１０が自己申告情報の一つであるクイズ問題を作業者用端末２０の情報表示部２１に表示する。（Ｓ１４）
【０１０４】
図８は本発明の一実施形態の体調管理システムにおける質問（クイズ問題）の画面である。このクイズは、タッチパネル上の９個の表示ボタンのうち、「Ｒ」を表示しているものを全て押下させるものである。
【０１０５】
この場合、全ての入力が正しく終了した場合には、自動的に次の画面に移行するようにし、押し間違いがあった場合はリトライを求めるようにすることが好ましいが、そのような手順に限定するものではない。
【０１０６】
このクイズに関する解答情報、例えば、解答に要した時間、誤答の回数や傾向などは、作業者用端末２０から体調管理装置１０へと送られる。（Ｓ１５）
【０１０７】
なお、クイズは、１回に限定せず、２回以上繰り返してもよい。図９は本発明の一実施形態の体調管理システムにおける別のクイズ問題の画面であって、タッチパネル上の４個の表示ボタンが、順次、点灯するもので、その順番はランダムである。
【０１０８】
４個のボタンの点灯が終了したら、作業者にその順番通りにボタンを押下させる。
【０１０９】
この場合、全ての入力が正しく終了した場合には、自動的に次の画面に移行するようにし、押し間違いがあった場合はリトライを求めるようにすることが好ましいが、そのような手順に限定するものではない。
【０１１０】
このクイズに関する解答情報、例えば、解答に要した時間、誤答の回数や傾向なども、作業者用端末２０から体調管理装置１０へと送られる。
【０１１１】
なお、クイズの回数、内容については、これらの例に限定されず、作業者のパフォーマンスが算定できるものであればどのようなものであってもよい。
【０１１２】
体調管理装置１０においては、入力された体調情報（気分及びパフォーマンス情報）を、体調情報分析部１２が集計し、分析する。（Ｓ１６）
【０１１３】
その結果、明らかな異常状態が検出された場合は、その内容が、体調管理装置１０から管理者用装置３０へと送信される。（Ｓ１７）
【０１１４】
管理者用装置３０においては、このような異常状態の情報を受信すると、管理者に注意を促すべく、情報表示部３４に強調表示したり、図示しない音声案内などを用いて、警報を発するようにする。（Ｓ１８）
【０１１５】
それに対しては、管理者用装置３０は、異常状態と、それに対応する管理者による入力とから、働きかけ情報を作成する。（Ｓ１９）働きかけ情報は、早ければ、作業者の入力終了後、数秒程度で発報できることが望ましい。
【０１１６】
それらを用いて、管理者によって、作業者への即時面談、作業内容の変更、休養の勧奨などを行わせるようにする。（Ｓ２０）
【０１１７】
ここで、体調管理装置１０は、体調管理データベース１４を有していてもよく、その中には管理者用装置３０から提供される、管理者用装置３０を運営する企業・工場などの、労働環境情報、例えば、残業時間、平均勤続年数、作業者の作業環境の温度などの情報、更には、過去の災害情報、特に、死傷病災害情報、産業界の過去のデータ、作業者の作業する組織における過去のデータ、それらの災害の発生要因などのデータを、適宜、蓄積する。（Ｓ２１）
【０１１８】
また、地域の気象情報を含む外部内部環境情報、例えば作業している地域の気候、作業者の作業する組織の災害発生地域の気候、作業当日の作業地域の環境などのデータを記憶していてもよい。
【０１１９】
一方、体調管理データベース１４は、作業者に関するデータとして、当日及び過去の体調情報（気分及パフォーマンス）、適性検査結果・性格診断結果、作業者の基礎データなどを蓄積・記憶する。（Ｓ１６）
【０１２０】
体調管理装置１０の体調情報分析部１２は、作業者用端末２０から受領した体調に関する情報を分析する。例えば、気分の自己申告が「わるい」であったり、クイズに関し、誤答が多かったり、解答時間が長すぎたりすることは、体調に問題があると判定する。
【０１２１】
また、必要に応じて体調管理データベース１４内のデータを活用し、統計的に処理したり、予め定めたルールによって、あるいは、ＡＩ（人工知能）技術によって、このような体調の情報から想定される行動を予測すること（行動予測）ができる。（Ｓ２２）
【０１２２】
例えば、ＡＩ（人工知能）技術によって、過去の災害発生時直前状況との類似性を検討し、危険度の指数を算出するようにしてもよい。
【０１２３】
更に詳しくは、ＡＩ（人工知能）技術は、入力された体調情報と、作業者が過去に入力した体調情報とを入力源とし、体調管理データベースを学習情報源として分析を行い、過去の災害発生時直前状況との類似性について検討し、その結果を災害発生危険度の指数として出力するようにしてもよい。
【０１２４】
図１０は本発明の一実施形態の体調管理システムにおける体調管理モデル生成部１５の説明図である。教師データ１５１として、体調管理データベース１４に蓄えられたデータと、過去の作業者からの体調情報をニューラルネットワーク１５２に与え、当該作業者の行動予測をさせる。その結果として得られる出力データ１５３、すなわち、行動予測（危険度指数など）と、当該作業者の実際の行動結果（正解データ１５４）とを比較し、その誤差Ｄをニューラルネットワーク１５２にし、引き続き、体調情報を与えて学習を深化させ、誤差の少ない学習済みニューラルネットワーク、すなわち、体調管理モデル１５５が生成される。
【０１２５】
図１１は本発明の一実施形態の体調管理システムにおける体調管理モデル１５５を用いた行動予測の説明図である。  体調管理モデル生成部１５で生成された体調管理モデル１５５（学習済みニューラルネットワーク）に、入力変数１５６として、新たに作業者からの体調情報を与える。すると、体調管理モデル１５５が最も適切と判断される出力変数１５７（例えば、行動予測）を出力する。
【０１２６】
なお、これらの説明は、体調管理モデル１５３の生成と利用に関する一例であり、これに限定されるものではなく、教師データを用いない方法や、ニューラルネットワークではない体調管理モデルであってもよく、この手法の変形や、その他の手法または技術を用いてもよい。
【０１２７】
図１２は本発明の一実施形態の体調管理システムにおける行動予測の基準の例を示した説明図である。
【０１２８】
ここで、例えば、作業者の体調の基準値を、全く問題ない場合を０点、重大な問題がある最悪の場合を１００点として、作業者の体調をその間の数値で表現する。
【０１２９】
ここでは、４９点以下の場合は正常とし、行動予測としては「通常行動の範囲」と予測する。
【０１３０】
５０点から８９点までの場合は、体調としては、図示するように「不調と思われる」「少々不調」「明らかに不調」「著しく不調」と段階的に不調の度合いが増していき、行動予測としては、「危険を危険と思わない行動」「人間性による行動」「咄嗟の不安全な行動」「体調不調からの行動」などが予測され、特に、点数が高いほど、その傾向が顕著になるものと予測される。
【０１３１】
なお、ここで、「危険を危険と思わない行動」の例としては、保護具未着用、危険な場所へ入る、回転物に手を出す、安全装置を無効にする、合図しない・確認しない、安全装置の解除、機械稼働時離れる、機械を異常な回転をさせる、チョコ停発生をミスと感じ報告しない、非常停止することを罪悪とし実行しない、通電中の機械に触れる、荷物を積み上げ過ぎる、加熱したものに触れる、クレーンの下に入る、コンベヤーをまたぐ・くぐる、回転している機械に手を入れる、高温のお湯に手を入れる、入電中の機械に接触する、グリーンベルト以外を通る、職場を走る・飛び跳ねる、階段で飛び降りる、部品に触れる、工具、道具を勝手に使う、使った工具を元に戻さない、汚した場所を清掃しない、物を投げる、取り扱いが乱暴、などが挙げられる。
【０１３２】
「人間性による行動」の例としては、安全意識低下、面倒くさい、自信過剰、無気力、手順省略、モラル低下、遅刻の繰り返し、服装の乱れ、外観の汚れ、汚す、片付けない、先輩の話を聞かない、などが挙げられる。
【０１３３】
「咄嗟の不安全な行動」の例としては、省略行動、近道行動、うっかり行動、決めつけ行動、思い込み行動、いたずら（悪ふざけ）行動、手抜き行動、未確認行動、フォークリフトの前を横切る、刃物を放置する、工具を元に戻さない、運搬物を落としても報告しない、などが挙げられる。
【０１３４】
「体調不調からの行動」の例としては、あいさつしない、ありがとうと言わない、すみませんでしたと言わない、眠れていない表情、心配事で悩んでいる、目がうつろ、独り言が多い、居眠りする、友人と話さなくなった、考え事をしている、行動が遅くウロウロするなどが挙げられる。
【０１３５】
また、９０点以上の場合は、体調としては、不安全行動の確率高い体調と判断でき、その行動予測としては、「不注意で作業ミス発生」「能率低下・品質悪化・納期遅れ」などが予測され、「ヒヤリハット災害」も想定される。
【０１３６】
なお、ＡＩ技術を用いる場合には、災害発生時やヒヤリハット発生時の直前の体調情報を「１」とし、問題がない無事故の場合の直前の体調情報を「０」として、入力しておく。
【０１３７】
ここで、当日の作業者の体調情報を入力する。体調情報を構成する全ての項目（例えば、クイズに対する解答時間や間違い数、工場の温度など）が、災害発生時やヒヤリハット発生時の直前の体調情報を構成する全ての項目と完全に一致すれば「１」となり、無事故の場合の直前の体調情報を構成する全ての項目と完全に一致すれば「０」となるが、通常、完全に一致することはなく、一致度は、０〜１の間の実数値を取ることになり、数値が高いほど、注意を要することになる。
【０１３８】
なお、当日の体調情報以外にも、同一人物の過去２週間程度の体調情報、本人データの基礎的な分散度合い（もともと、日によって波のある人かどうか）全作業者の平均から見て、判断速度が早いか遅いかなども、ＡＩの入力情報として用いてもよい。
【０１３９】
ここで、体調管理装置１０は、このような行動予測情報を、管理者用装置３０に提供する。（Ｓ２３）
【０１４０】
管理者用装置３０の運営者は、このような行動予測情報を基に、種々の管理対応をすることができ、一例としては、先に説明した異常状態の通知の際と同様に、管理者用装置３０が、働きかけ情報を作成するようにする。（Ｓ１９）
【０１４１】
管理者用装置３０のインターフェース部３１によって受け取られた体調情報と行動予測情報とから、情報制御部３２と協働して働きかけ情報作成部３３が情報制御部３２と協働して、管理者、作業者あるいは職場への働きかけ情報を作成し、管理者に対して、その内容を表示または印刷出力などの方法で提示する。
【０１４２】
働きかけ情報の例としては、管理者に作業者や職場に対して即行動を促すこと、当日報告された体調変化者に即、直接声掛けし対象者に実情を確認すること、管理者に作業者の個別情報を提示した上で体調の確認を行わせること、変化があった対象者や職場に対し、不安全行動にならない注意喚起をすること、必要に応じて全作業者や全職場への警告・注意喚起を行うようにさせることなどが含まれる。
【０１４３】
また、現状確認結果により対象者や職場で臨時の昼礼等でワンポイント教育をすることも効果がある。
【０１４４】
このようにすると、従来手順では朝礼時での顔色や態度もしくは作業者本人からの自己申告によって体調確認をしていたことと比べて、体調管理装置１０からの作業者個別のデータあるいはそれらの集合体である作業者所属の職場のデータを基に対処することができ、職場の安心度を高めることができる。
【０１４５】
＜作業終了後＞
図１３は本発明の一実施形態の体調管理システムにおける作業終了後のフロー図である。
作業者は、所定の時間後、あるいは業務の完了後に、作業を終了する。ここで、作業者用端末２０は、作業者によってログインされ、作業者の作業終了報告の入力を受ける。（Ｓ３１）
【０１４６】
体調管理装置１０は、その情報によって、抽選機能制御部１６が、抽選参加可能であることを判断しする。（Ｓ３２）
【０１４７】
それによって、作業者用端末２０が、作業者からの抽選のための入力を受け付ける。（抽選に参加させる）（Ｓ３３）
【０１４８】
作業者からの入力がなされると、体調管理装置１０が、抽選機能を用いて、当選・非当選を決定する。（Ｓ３４）
【０１４９】
当選であることが決定すると、体調管理装置１０が、賞品の準備を、画面などで運用者に伝え、体調管理装置１０の運用者は、ＩＤで表される当選者情報とともに賞品を管理者用装置３０の管理者へと郵送などの手段により届ける。（Ｓ３５）
【０１５０】
なお、賞品としては、広汎に用いることができるギフトカードや商品券が好適であるが、それに限定せず、電子的なポイントのようなものであってもよい。
【０１５１】
管理者用装置３０が、それらの賞品と受領すべき作業者とを紐づけて、管理者用装置３０の運用者が、その賞品を当該の作業者の元へ届ける。（Ｓ３６）
【０１５２】
作業者は、賞品を受け取り、体調情報を入力したことのインセンティブを感じることとなる。（Ｓ３７）
【０１５３】
＜対価の支払い＞
図１４はは本発明の一実施形態の体調管理システムにおける対価の支払のフロー図である。
これまでに説明した一連のシステムのフローが多数の作業者及び所定の期間に継続される。
すなわち、体調管理装置１０は、体調管理についてのサービスを提供する。なお、その中には、抽選による賞品の準備も含まれ、それらの費用を管理者用装置３０に請求する。（Ｓ４１）
【０１５４】
管理者用装置３０の運用者は、作業者の体調管理に関するサービスの提供を受けたことに対し、その対価の支払いをする。（Ｓ４２）
【０１５５】
なお、これまでに説明した実施形態は、本特許出願にかかる発明の理解のためのものであり、本特許出願の技術的範囲はそれに限定されるものではない。
【産業上の利用可能性】
【０１５６】
本発明の体調管理装置及び体調管理システムは、産業界における、広汎な作業者の、ミスや事故の低減に役立つことから、大いに産業上の利用可能性を有する。
【符号の説明】
【０１５７】
１０    作業者用端末
２０    体調管理装置
３０    管理者用装置
１００  体調管理システム
【図１】
2020198070.tif 000003
【図２】
2020198070.tif 000004
【図３】
2020198070.tif 000005
【図４】
2020198070.tif 000006
【図５】
2020198070.tif 000007
【図６】
2020198070.tif 000008
【図７】
2020198070.tif 000009
【図８】
2020198070.tif 000010
【図９】
2020198070.tif 000011
【図１０】
2020198070.tif 000012
【図１１】
2020198070.tif 000013
【図１２】
2020198070.tif 000014
【図１３】
2020198070.tif 000015
【図１４】
2020198070.tif 000016
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
−作業者からの体調に関する情報の入力を受ける情報入力部と、
−前記入力された体調に関する情報を分析し、作業者の不安全行動の予測を行う体調情報分析部と、
−前記体調情報分析部の分析に基づく不安全行動の予測を出力する情報出力部と
を有する作業者の体調管理装置。
【請求項２】
−更に、体調管理に関するデータを蓄積する体調管理データベースと
を有することを特徴とする請求項１に記載の体調管理装置。
【請求項３】
−前記体調情報分析部が、前記体調管理データベースに蓄積されたデータを用いて、ＡＩ（人工知能）技術、またはルールベースにより、体調情報の分析に基づく不安全行動の予測を行うことを特徴とする請求項２に記載の体調管理装置。
【請求項４】
前記体調管理データベースに蓄積されたデータを教師データとして機械学習を行って学習済みモデルを生成する体調管理モデル生成部を有し、前記体調情報分析部が、前記モデルを用いて、体調情報の分析に基づく不安全行動の予測を行うことを特徴とする請求項３に記載の体調管理装置。
【請求項５】
前記作業者からの体調に関する情報は、気分に関する作業者の自己申告情報であることを特徴とする請求項１に記載の体調管理装置。
【請求項６】
前記作業者からの体調に関する情報は、気分に関する作業者の自己申告情報の、回答に要する時間であることを特徴とする請求項１に記載の体調管理装置。
【請求項７】
前記作業者からの体調に関する情報は、前記体調管理装置からのクイズまたはパズルへの解答であることを特徴とする請求項１に記載の体調管理装置。
【請求項８】
前記作業者からの体調に関する情報は、前記体調管理装置からのクイズまたはパズルへの解答の、解答に要する時間であることを特徴とする請求項１に記載の体調管理装置。
【請求項９】
−情報を表示する情報表示部と、
−情報を入力する情報入力部と、
−外部機器と接続可能なインターフェースと、
−前記入力された情報に基づいて情報の加工、入出力を行う情報制御部と
を有し、前記インターフェースを介して体調管理装置に接続され、前記情報表示部に表示された手順に従って、前記情報入力部から、体調管理用の気分に関する自己申告情報及び／または前記体調管理装置からのクイズまたはパズルへの解答の入力を行うことが可能であるように、前記情報制御部が制御することをを特徴とする体調管理用の作業者用端末。
【請求項１０】
−健康管理装置に接続され、該健康管理装置からの作業者の不安全行動の予測に関する情報の入力を受ける健康管理情報受取部と、
−受け取った前記不安全行動の予測情報に基づく作業者への働きかけのための情報を生成し、出力する働きかけ情報生成部と
を有することを特徴とする体調管理用の管理者用装置。
【請求項１１】
−請求項1に記載の体調管理装置と、
−請求項９に記載の作業者用端末と、
−請求項１０に記載の管理者用装置と
を有する作業者の体調管理システム。
【請求項１２】
前記体調管理装置に抽選機能制御部を有し、前記作業者端末からの指示で前記抽選機能制御部が働き、抽選に当選した場合に、当選情報が前記管理者用装置及び／または前記作業者端末に伝達されることを特徴とする請求項１１に記載の作業者の体調管理システム。
【請求項１３】
前記抽選機能制御部が、前記作業者端末からの特定の作業者の情報に基づき、該作業者の抽選回数または当選確率の増減を制御することを特徴とする請求項１１に記載の作業者の体調管理システム。
【請求項１４】
−作業者からの体調に関する情報の入力を受ける情報入力部と、
−前記入力された体調に関する情報を分析し、作業者の不安全行動の予測を行う体調情報分析部と、
−前記体調情報分析部の分析に基づく不安全行動の予測を出力する情報出力部と
を有する作業者の体調管理装置において、
−前記情報入力部が作業者からの体調に関する情報の入力を受ける情報入力ステップと、
−前記体調情報分析部が前記入力された体調に関する情報を分析し、作業者の不安全行動の予測を行う体調情報分析ステップと、
−前記情報出力部が前記体調情報分析部の分析に基づく不安全行動の予測を出力する情報出力ステップと
を有する作業者の体調管理方法。
【請求項１５】
作業者の体調管理装置であって、前記作業者が、工場労働者、飲食店従業者、建設業従事者、公務に従事する者、運輸業又は旅客業に従事する者のうち、少なくともいずれか１つの者であることを特徴とする請求項１に記載の体調管理装置。
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
−作業者からの体調に関する情報の入力を受ける情報入力部と、
−前記入力された体調に関する情報を分析し、作業者の不安全行動の予測を行う体調情報分析部と、
−前記体調情報分析部の分析に基づく不安全行動の予測を出力する情報出力部と
を有する作業者の体調管理装置であって、
前記作業者からの体調に関する情報は、気分に関する作業者の自己申告情報の、回答に要する時間であることを特徴とする作業者の体調管理装置。
【請求項２】
−作業者からの体調に関する情報の入力を受ける情報入力部と、
−前記入力された体調に関する情報を分析し、作業者の不安全行動の予測を行う体調情報分析部と、
−前記体調情報分析部の分析に基づく不安全行動の予測を出力する情報出力部と
を有する作業者の体調管理装置であって、
前記作業者からの体調に関する情報は、前記体調管理装置からのクイズまたはパズルへの解答であることを特徴とする作業者の体調管理装置。
【請求項３】
−作業者からの体調に関する情報の入力を受ける情報入力部と、
−前記入力された体調に関する情報を分析し、作業者の不安全行動の予測を行う体調情報分析部と、
−前記体調情報分析部の分析に基づく不安全行動の予測を出力する情報出力部と
を有する作業者の体調管理装置であって、
前記作業者からの体調に関する情報は、前記体調管理装置からのクイズまたはパズルへの解答の、解答に要する時間であることを特徴とする作業者の体調管理装置。
【請求項４】
ａ）−作業者からの体調に関する情報の入力を受ける情報入力部と、
−前記入力された体調に関する情報を分析し、作業者の不安全行動の予測を行う体調情報分析部と、
−前記体調情報分析部の分析に基づく不安全行動の予測を出力する情報出力部と
を有する作業者の体調管理装置と、
ｂ）−情報を表示する情報表示部と、
−情報を入力する情報入力部と、
−外部機器と接続可能なインターフェースと、
−前記入力された情報に基づいて情報の加工、入出力を行う情報制御部と
を有し、前記インターフェースを介して体調管理装置に接続され、前記情報表示部に表示された手順に従って、前記情報入力部から、体調管理用の気分に関する自己申告情報及び／または前記体調管理装置からのクイズまたはパズルへの解答の入力を行うことが可能であるように、前記情報制御部が制御することをを特徴とする体調管理用の作業者用端末と、
ｃ）−健康管理装置に接続され、該健康管理装置からの作業者の不安全行動の予測に関する情報の入力を受ける健康管理情報受取部と、
−受け取った前記不安全行動の予測情報に基づく作業者への働きかけのための情報を生成し、出力する働きかけ情報生成部と
を有することを特徴とする体調管理用の管理者用装置と、
を有する作業者の体調管理システムであって、
前記体調管理装置に抽選機能制御部を有し、前記作業者端末からの指示で前記抽選機能制御部が働き、抽選に当選した場合に、当選情報が前記管理者用装置及び／または前記作業者端末に伝達されることを特徴とする作業者の体調管理システム。
【請求項５】
前記抽選機能制御部が、前記作業者端末からの特定の作業者の情報に基づき、該作業者の抽選回数または当選確率の増減を制御することを特徴とする請求項４に記載の作業者の体調管理システム。